【誤訳訂正書】
【提出日】令和3年6月29日(2021.6.29)
【誤訳訂正１】
【訂正対象書類名】特許請求の範囲
【訂正対象項目名】全文
【訂正方法】変更
【訂正の内容】
【特許請求の範囲】
【請求項１】
１つまたは複数のプロセッサ（２７４）およびメモリ（１９２／２９０）を備える、被験者向けの有効なインスリン投薬計画における基礎／ボーラス比を調節するためのデバイス（２５０）であって、前記メモリに記憶された命令が前記１つまたは複数のプロセッサによって実行されたとき、
日々の合計のインスリン薬剤を含む、前記被験者向けの前記有効なインスリン投薬計画（２０６）を得ることであって、前記日々の合計のインスリン薬剤が、日々の量の基礎インスリン薬剤（２１０）と、前記被験者向けの前記有効なインスリン投薬計画によって指定された、１つまたは複数のインスリンペンによって投与される日々の量のボーラスインスリン薬剤（２１４）との組合せによって満たされ、前記日々の量の基礎インスリン薬剤および前記日々の量のボーラスインスリン薬剤が、前記日々の量の基礎インスリン薬剤と前記日々の量のボーラスインスリン薬剤の間の初期の基礎／ボーラス比を定義する、得ることと、
時間的経過にわたる前記被験者の複数のグルコース測定取得値と、前記複数のグルコース測定取得値におけるそれぞれのグルコース測定取得値（２１８）について、それぞれの測定が行われた時刻を表すタイムスタンプ（２２０）とを含む、第１のデータセット（２１６）を得ることと、
前記時間的経過における１つまたは複数の空腹時イベントを識別することと、
それぞれの空腹時イベントの期間（２２８）にある前記第１のデータセットから得られた前記被験者の前記グルコース測定取得値を使用して、前記１つまたは複数の空腹時イベント（２２４）における前記それぞれの空腹時イベントについて、それぞれの時間的なグルコース勾配（２２６）を計算することと、
前記１つまたは複数の空腹時イベントにおける各空腹時イベントの前記勾配を使用して、前記被験者に対して前記日々の合計のインスリン薬剤を変更せずに前記基礎／ボーラス比の推奨される調節をするべきかどうかを判定することと、
前記被験者に対して前記基礎／ボーラス比の前記推奨される調節をするように判定されたとき、前記基礎／ボーラス比の前記推奨される調節を、
（ｉ）前記有効なインスリン投薬計画における前記基礎／ボーラス比の手動調節のために、前記被験者に通信すること、
（ｉｉ）投与量調節の命令として、前記被験者に対して前記有効なインスリン投薬計画を送達することを命じられる前記１つまたは複数のインスリンペンにおける各インスリンペンに通信すること、または
（ｉｉｉ）前記被験者に関連した医療関係者に通信することと、
の方法を遂行する、デバイス。
【請求項２】
前記１つまたは複数の空腹時イベントが複数の空腹時イベントであり、
前記１つまたは複数の空腹時イベントにおける各空腹時イベントの前記勾配を使用して、前記被験者に対して前記日々の合計のインスリン薬剤を変更せずに前記基礎／ボーラス比の推奨される調節をするべきかどうかを判定することが、
前記複数の空腹時イベントにおける各空腹時イベントの前記勾配の中心傾向の第１の測度を取得すること、
中心傾向の前記第１の測度がプラスでありプラスの閾値を超えるとき、前記被験者向けの前記有効なインスリン投薬計画は基礎インスリン薬剤不足であると見なすこと、
中心傾向の前記第１の測度がマイナスでありマイナスの閾値を超えるとき、前記被験者向けの前記有効なインスリン投薬計画はボーラスインスリン薬剤不足であると見なすこと、および、
どちらでもなければ、前記被験者向けの前記有効なインスリン投薬計画の基礎／ボーラス比は十分であると見なすことを含む、請求項１に記載のデバイス。
【請求項３】
前記１つまたは複数の空腹時イベントが単一の空腹時イベントであり、
前記１つまたは複数の空腹時イベントにおける各空腹時イベントの前記勾配を使用して、前記被験者に対して前記日々の合計のインスリン薬剤を変更せずに前記基礎／ボーラス比の推奨される調節をするべきかどうかを判定することが、
前記単一の空腹時イベントの前記勾配がプラスでありプラスの閾値を超えるとき、前記被験者向けの前記有効なインスリン投薬計画は基礎インスリン薬剤不足であると見なすこと、
前記単一の空腹時イベントの前記勾配がマイナスでありマイナスの閾値を超えるとき、前記被験者向けの前記有効なインスリン投薬計画はボーラスインスリン薬剤不足であると見なすこと、および、
どちらでもなければ、前記被験者向けの前記有効なインスリン投薬計画の基礎／ボーラス比は十分であると見なすことを含む、請求項１に記載のデバイス。
【請求項４】
前記複数のグルコース測定取得値における各グルコース測定取得値が自律的に測定され、
前記１つまたは複数の空腹時イベントが、前記第１のデータセットにおける前記被験者の前記複数のグルコース測定取得値およびそれぞれの前記タイムスタンプを使用して判定される、請求項１から３のいずれか一項に記載のデバイス。
【請求項５】
前記複数の空腹時イベントを識別することが、前記時間的経過に包含された第１の期間における第１の空腹時期間を識別することを含み、前記第１の空腹時期間を識別することが、
前記複数のグルコース測定取得値にわたる移動期間の分散
2019532391.tif 000001
を、次式を使用して計算することであって、
2019532391.tif 000002
ここにおいて、
Ｇｉは前記複数のグルコース測定取得値の部分におけるｉ番目のグルコース測定取得値であり、
Ｍは前記複数のグルコース測定取得値の前記移動期間内におけるグルコース測定取得値の数であり、
2019532391.tif 000003
は前記複数のグルコース測定取得値の前記移動期間内における前記グルコース測定取得値の平均値であり、
ｋは前記第１の期間の範囲内にあるＧｉを示すインデックスである、計算することと、
前記第１の空腹時期間を、前記第１の期間の範囲内において最小の分散
2019532391.tif 000004
を示す期間に関連づけることとによって行われる、請求項１から４のいずれか一項に記載のデバイス。
【請求項６】
前記１つまたは複数の空腹時イベントを識別することが、前記被験者から前記１つまたは複数の空腹時イベントにおける各空腹時イベントの指示を受け取ることを含む、請求項１から４のいずれか一項に記載のデバイス。
【請求項７】
前記１つまたは複数の空腹時イベントを識別することが、前記被験者が着用するウェアラブルデバイスから第２のデータセット（２２０）を受け取ることを含み、
前記第２のデータセットが、前記１つまたは複数の空腹時イベントを指示する前記時間的経過中の前記被験者の生理的メトリック（２３２）を指示する、請求項１から４のいずれか一項に記載のデバイス。
【請求項８】
前記有効なインスリン投薬計画が、前記日々の量のボーラスインスリン薬剤を、「朝食」、「昼食」、および「夕食」を含むイベントタイプのセットにおける２つ以上の日々のボーラス注射イベントタイプに分割するように指定し、
前記基礎／ボーラス比の前記推奨される調節をするように判定され、
前記基礎／ボーラス比の前記推奨される調節は、前記被験者向けの前記有効なインスリン投薬計画における前記日々の量のボーラスインスリン薬剤の増加を推奨することであり、前記方法が、
前記時間的経過にわたる前記２つ以上のボーラス注射イベントタイプにおける各ボーラス注射イベントタイプのそれぞれのボーラス注射に関連したそれぞれの最小の食後のグルコース測定値を判定すること、
前記２つ以上の日々のボーラス注射イベントタイプにおけるそれぞれの日々のボーラス注射イベントタイプについて、それぞれの日々のボーラス注射イベントタイプのそれぞれのボーラス注射に関連した前記最小の食後のグルコース測定値の中心傾向のそれぞれの第２の測度を計算し、それによって中心傾向の複数の第２の測度を計算すること、および
中心傾向の最大の第２の測度が、ある閾値量よりも大きい量だけ、中心傾向の前記複数の第２の測度の中心傾向の第３の測度よりも大きいときには、前記増加させるボーラスインスリン薬剤量に関して、中心傾向の前記最大の第２の測度に関連した前記２つ以上の日々のボーラス注射イベントタイプにおける前記日々のボーラス注射イベントタイプを選択し、そうでなければ、前記ボーラスインスリン薬剤量における前記増加を、前記２つ以上の日々のボーラス注射イベントタイプにわたって分配すること
により、前記２つ以上の日々のボーラス注射イベントタイプにおけるどのボーラス注射イベントタイプにおいてボーラスインスリン薬剤量を増加させるために変更するべきか判定することをさらに含む、請求項１または２に記載のデバイス。
【請求項９】
前記有効なインスリン投薬計画が、前記日々の量のボーラスインスリン薬剤を、「朝食」、「昼食」、および「夕食」を含むイベントタイプのセットにおける２つ以上の日々のボーラス注射イベントタイプに分割するように指定し、
前記基礎／ボーラス比の前記推奨される調節をするように判定され、
前記基礎／ボーラス比の前記推奨される調節は、前記被験者向けの前記有効なインスリン投薬計画における前記日々の量のボーラスインスリン薬剤の減少を推奨することであり、前記方法が、
前記時間的経過にわたる前記２つ以上のボーラス注射イベントタイプにおける各ボーラス注射イベントタイプのそれぞれのボーラス注射に関連したそれぞれの最小の食後のグルコース測定値を判定すること、
前記２つ以上の日々のボーラス注射イベントタイプにおけるそれぞれの日々のボーラス注射イベントタイプについて、前記それぞれの日々のボーラス注射イベントタイプのそれぞれのボーラス注射に関連した前記最小の食後のグルコース測定値の中心傾向のそれぞれの第２の測度を計算し、それによって中心傾向の複数の第２の測度を計算すること、および
中心傾向の最小の第２の測度が、ある閾値量よりも大きい量だけ、中心傾向の前記複数の第２の測度の中心傾向の第３の測度よりも小さいときには、前記減少させるボーラスインスリン薬剤量に関して、中心傾向の前記最小の第２の測度に関連した前記２つ以上の日々のボーラス注射イベントタイプにおける前記日々のボーラス注射イベントタイプを選択し、そうでなければ、前記ボーラスインスリン薬剤量における前記減少を、前記２つ以上の日々のボーラス注射イベントタイプにわたって分配すること
により、前記２つ以上の日々のボーラス注射イベントタイプにおけるどのボーラス注射イベントタイプにおいてボーラスインスリン薬剤量を減少させるために変更するべきか判定することをさらに含む、請求項１または２に記載のデバイス。
【請求項１０】
前記方法が、
前記有効なインスリン投薬計画を適用するために、前記被験者が使用する１つまたは複数のインスリンペン（１０４）から第３のデータセット（３０２）を得ることであって、前記第３のデータセットが複数のインスリン薬剤記録を含み、前記複数のインスリン薬剤記録における各インスリン薬剤記録（３０４）が、（ｉ）前記１つまたは複数のインスリンペンにおけるそれぞれのインスリンペンを使用して前記被験者に注射されたインスリン薬剤の量（３０８）を含む、それぞれのインスリン薬剤注射イベント（３０６）と、（ｉｉ）前記それぞれのインスリン薬剤注射イベントと同時に前記それぞれのインスリンペンによって自動的に発生された対応するインスリンイベントの電子的タイムスタンプ（３１０）と、（ｉｉｉ）（ａ）前記基礎インスリン薬剤および（ｂ）前記ボーラスインスリン薬剤のうちの１つから前記被験者に注射されたインスリン薬剤のそれぞれのタイプ（３１２）とを含む、得ることと、
前記第３のデータセットを使用して、前記１つまたは複数の空腹時イベントから、ボーラス注射イベント後の第１の所定時間間隔または基礎注射イベント後の第２の所定時間間隔の範囲内に生じたものではない空腹時イベントを除外することと、
をさらに含む、請求項１から９のいずれか一項に記載のデバイス。
【請求項１１】
前記１つまたは複数の空腹時イベントが、前の１週間、前の２週間、または前の１か月の範囲内にあり、前記方法が、時間が経つと循環的に繰り返される、請求項１から１０のいずれか一項に記載のデバイス。
【請求項１２】
前記被験者に対して前記基礎／ボーラス比の前記推奨される調節をするように判定され、前記調節が、前記初期の基礎／ボーラス比の１〜５パーセント、前記初期の基礎／ボーラス比の５〜１０パーセント、または前記初期の基礎／ボーラス比の１０〜１５パーセントである、請求項１から１１のいずれか一項に記載のデバイス。
【請求項１３】
ワイヤレス受信器をさらに備えるデバイスであって、前記第１のデータセットが、前記被験者に付けたグルコースセンサからワイヤレスで得られる、請求項１から１２のいずれか一項に記載のデバイス。
【請求項１４】
前記基礎インスリン薬剤が、１２〜２４時間の作用持続時間を有する１つのインスリン薬剤、または１２〜２４時間の作用持続時間を総体として有するインスリン薬剤の混合物から成り、
前記ボーラスインスリン薬剤が、３〜８時間の作用持続時間を有する１つのインスリン薬剤、または３〜８時間の作用持続時間を総体として有するインスリン薬剤の混合物から成る、請求項１から１３のいずれか一項に記載のデバイス。
【請求項１５】
被験者向けの有効なインスリン投薬計画における基礎／ボーラス比を調節する方法であって、
１つまたは複数のプロセッサおよびメモリを備えるコンピュータシステムにおいて、
前記被験者向けの前記有効なインスリン投薬計画（２０６）を得ることであって、
前記被験者向けの前記有効なインスリン投薬計画が日々の合計のインスリン薬剤を含み、
前記日々の合計のインスリン薬剤が、日々の量の基礎インスリン薬剤（２１０）と、前記被験者向けの有効なインスリン投薬計画によって指定された、１つまたは複数のインスリンペンによって投与される日々の量のボーラスインスリン薬剤（２１４）との組合せによって満たされ、
前記日々の量の基礎インスリン薬剤および前記日々の量のボーラスインスリン薬剤が、前記日々の量の基礎インスリン薬剤と前記日々の量のボーラスインスリン薬剤の間の初期の基礎／ボーラス比を定義する、得ることと、
時間的経過にわたる前記被験者の複数のグルコース測定取得値と、前記複数のグルコース測定取得値におけるそれぞれのグルコース測定取得値（２１８）について、それぞれの測定が行われた時刻を表すタイムスタンプ（２２０）とを含む、第１のデータセット（２１６）を得ることと、
前記時間的経過における１つまたは複数の空腹時イベントを識別することと、
それぞれの空腹時イベントの期間（２２８）にある前記第１のデータセットから得られた前記被験者の前記グルコース測定取得値を使用して、前記１つまたは複数の空腹時イベント（２２４）における前記それぞれの空腹時イベントについて、それぞれの時間的なグルコース勾配（２２６）を計算することと、
前記１つまたは複数の空腹時イベントにおける各空腹時イベントの前記勾配を使用して、前記被験者に対して前記日々の合計のインスリン薬剤を変更せずに前記基礎／ボーラス比の推奨される調節をするべきかどうかを判定することと、
前記被験者に対して前記基礎／ボーラス比の前記推奨される調節をするように判定されたとき、前記基礎／ボーラス比の前記推奨される調節を、
（ｉ）前記有効なインスリン投薬計画における前記基礎／ボーラス比の手動調節のために、前記被験者に通信すること、
（ｉｉ）投与量調節の命令として、前記被験者に対して前記有効なインスリン投薬計画を送達することを命じられる前記１つまたは複数のインスリンペンにおける各インスリンペンに通信すること、または
（ｉｉｉ）前記被験者に関連した医療関係者に通信することと、
を含む方法。
【請求項１６】
１つまたは複数のプロセッサによって実行されたとき請求項１５に記載の方法を遂行する命令を含む、コンピュータプログラム。
【請求項１７】
請求項１６に記載のコンピュータプログラムを記憶している、コンピュータ可読データ記憶媒体。
【誤訳訂正２】
【訂正対象書類名】明細書
【訂正対象項目名】００１９
【訂正方法】変更
【訂正の内容】
【００１９】
いくつかの実施形態では、複数のグルコース測定取得値における各グルコース測定取得値は自律的に測定され、１つまたは複数の空腹時イベントは、第１のデータセットにおける被験者の複数のグルコース測定取得値およびそれぞれのタイムスタンプを使用して判定される。いくつかのそのような実施形態では、複数の空腹時イベントを識別することは、時間的経過に包含された第１の期間における第１の空腹時期間を識別することを含み、第１の空腹時期間を識別することは、複数のグルコース測定取得値にわたる移動期間の分散
2019532391.tif 000005
を、次式を使用して計算することを含み、
2019532391.tif 000006
ここにおいて、Ｇｉは複数のグルコース測定取得値の部分におけるｉ番目のグルコース測定取得値であり、Ｍは複数のグルコース測定取得値の上記の移動期間内におけるグルコース測定取得値の数であり、
2019532391.tif 000007
は複数のグルコース測定取得値の上記の移動期間内におけるグルコース測定取得値の平均値であり、ｋは第１の期間の範囲内にあるＧｉを示すインデックスである。次いで、第１の空腹時期間は、第１の期間の範囲内において最小の分散
2019532391.tif 000008
を示す期間に関連づけられる。
【誤訳訂正３】
【訂正対象書類名】明細書
【訂正対象項目名】００２２
【訂正方法】変更
【訂正の内容】
【００２２】
いくつかの実施形態では、有効なインスリン投薬計画は、日々の量のボーラスインスリン薬剤を、「朝食」、「昼食」、および「夕食」を備えるイベントタイプのセットにおける２つ以上の日々のボーラス注射イベントタイプに分割するように指定する。いくつかのそのような実施形態では、基礎／ボーラス比の推奨される調節をするように判定される。基礎／ボーラス比に対するこの推奨される調節は、被験者向けの有効なインスリン投薬計画における日々の量のボーラスインスリン薬剤の増加を推奨することであり、この方法は、２つ以上の日々のボーラス注射イベントタイプにおけるどのボーラス注射イベントタイプにおいてボーラスインスリン薬剤量を増加させるために変更するべきか判定することをさらに備える。これは、時間的経過にわたる２つ以上のボーラス注射イベントタイプにおける各ボーラス注射イベントタイプのそれぞれのボーラス注射に関連したそれぞれの最小の食後のグルコース測定値を判定することによって行われる。２つ以上の日々のボーラス注射イベントタイプにおけるそれぞれの日々のボーラス注射イベントタイプについて、それぞれの日々のボーラス注射イベントタイプのそれぞれのボーラス注射に関連した最小の食後のグルコース測定値の中心傾向のそれぞれの第２の測度が計算され、それによって中心傾向の複数の第２の測度が計算される。次いで、中心傾向の最大の第２の測度が、ある閾値量よりも大きい量だけ、中心傾向の複数の第２の測度の中心傾向の第３の測度よりも大きいときには、増加させるボーラスインスリン薬剤量に関して、中心傾向の最大の第２の測度に関連した２つ以上の日々のボーラス注射イベントタイプにおける日々のボーラス注射イベントタイプが選択される。そうでなければ、ボーラスインスリン薬剤量におけるこの増加は、２つ以上の日々のボーラス注射イベントタイプにわたって分配される。
【誤訳訂正４】
【訂正対象書類名】明細書
【訂正対象項目名】００２３
【訂正方法】変更
【訂正の内容】
【００２３】
いくつかの実施形態では、有効なインスリン投薬計画により、日々の量のボーラスインスリン薬剤を、「朝食」、「昼食」、および「夕食」を備えるイベントタイプのセットにおける２つ以上の日々のボーラス注射イベントタイプに分割するように指定され、基礎／ボーラス比の推奨される調節をするように判定される。基礎／ボーラス比の推奨される調節は、被験者向けの有効なインスリン投薬計画における日々の量のボーラスインスリン薬剤の減少を推奨することである。そのような実施形態では、この方法は、時間的経過にわたる２つ以上のボーラス注射イベントタイプにおける各ボーラス注射イベントタイプのそれぞれのボーラス注射に関連したそれぞれの最小の食後のグルコース測定値を判定することにより、２つ以上の日々のボーラス注射イベントタイプにおけるどのボーラス注射イベントタイプにおいてボーラスインスリン薬剤量を減少させるために変更するべきか判定することをさらに備える。２つ以上の日々のボーラス注射イベントタイプにおけるそれぞれの日々のボーラス注射イベントタイプについて、それぞれの日々のボーラス注射イベントタイプのそれぞれのボーラス注射に関連した最小の食後のグルコース測定値の中心傾向のそれぞれの第２の測度が計算され、それによって中心傾向の複数の第２の測度が計算される。中心傾向の最小の第２の測度が、ある閾値量よりも大きい量だけ、中心傾向の複数の第２の測度の中心傾向の第３の測度よりも小さいときには、減少させるボーラスインスリン薬剤量に関して、中心傾向の最小の第２の測度に関連した２つ以上の日々のボーラス注射イベントタイプにおける日々のボーラス注射イベントタイプが選択される。そうでなければ、ボーラスインスリン薬剤量におけるこの減少は、２つ以上の日々のボーラス注射イベントタイプにわたって分配される。
【誤訳訂正５】
【訂正対象書類名】明細書
【訂正対象項目名】００７３
【訂正方法】変更
【訂正の内容】
【００７３】
いくつかの実施形態では、基礎インスリン薬剤投与計画２０８は、治療計画を最適化するために、日々の基礎用量が１日２回の用量に分割される場合などにおける２回分以上の用量を指定する。いくつかの実施形態では、ボーラスインスリン薬剤投与計画２１２は、朝食向けの第１のボーラスインスリン薬剤投与量および昼食向けの第２のボーラスインスリン薬剤投与量を指定する。いくつかの実施形態では、ボーラスインスリン薬剤投与計画２１２は、朝食向けの第１のボーラスインスリン薬剤投与量、昼食向けの第２のボーラスインスリン薬剤投与量、および夕食向けの第３のボーラスインスリン薬剤投与量を指定する。いくつかの実施形態では、ボーラスインスリン薬剤投与計画２１２は、予期される食事イベント向けの第１のボーラスインスリン薬剤投与量を、予期される食事イベントにあるものと被験者が推定する複数の炭水化物の関数として指定する。いくつかの実施形態では、ボーラスインスリン薬剤投与計画２１２は、予期される食事イベント向けのボーラスインスリン薬剤投与量を、過去の予期された食事イベントで被験者がこれまで摂取した複数の炭水化物の関数として指定する。いくつかのそのような実施形態では、ボーラスインスリン薬剤投与計画２１２は、予期される食事イベント向けのそのようなボーラスインスリン薬剤投与量を指定する一方で、有効なインスリン投薬計画２０６の日々の基礎／ボーラスのインスリン比を保存する。
【誤訳訂正６】
【訂正対象書類名】明細書
【訂正対象項目名】００７６
【訂正方法】変更
【訂正の内容】
【００７６】
ブロック４１２〜４１６。図４Ｂのブロック４１２を参照して、この方法は、時間的経過における１つまたは複数の空腹時イベントを識別することによって継続する。図６は被験者の日々のグルコースパターンを図解しており、食事６０２には星印が付けられ、本開示の一実施形態に従って、食事間で測定された最低の食後のグルコース値に基づいてボーラス／基礎比の変更が判定される。ブロック４１４を参照して、いくつかのそのような実施形態では、複数のグルコース測定取得値における各グルコース測定取得値２１８が自律的に測定され、空腹時イベント２２４は、第１のデータセット２１６における被験者の複数のグルコース測定取得値およびそれぞれのタイムスタンプを使用して判定される。いくつかのそのような実施形態では、空腹時イベントは、空腹時検知アルゴリズムおよび第１のデータセット２１６におけるグルコース測定取得値を使用して自律的に検知される。
【誤訳訂正７】
【訂正対象書類名】明細書
【訂正対象項目名】００７７
【訂正方法】変更
【訂正の内容】
【００７７】
グルコースセンサ１０２からのグルコース測定取得値２１８を使用して空腹時イベント２２４を検知するための複数の方法がある。たとえば、ブロック４１６を参照して、いくつかの実施形態では、第１の空腹時イベント２２４は、第１のデータセット２１６における複数のグルコース測定取得値に包含された第１の期間（たとえば２４時間の期間）において、グルコース測定取得値にわたって、最初に移動期間の分散
2019532391.tif 000009
を次式で計算することによって識別され、
2019532391.tif 000010
Ｇｉは複数のグルコース測定取得値の部分におけるｉ番目のグルコース測定取得値であり、Ｍは複数のグルコース測定取得値の上記の移動期間内におけるグルコース測定取得値の数であり、
2019532391.tif 000011
は第１のデータセット２１６の複数のグルコース測定取得値の上記の移動期間内におけるＭ個のグルコース測定取得値の平均値であり、ｋは第１の期間の範囲内にあるＧｉを示すインデックスである。例として、グルコース測定取得値は５分ごとに取得されて数日または数週間に及び得る。この全体の時間スパンの範囲内の第１の期間（たとえば１日）が選択され、したがって、複数の測定の部分が、最小の分散の期間を求めて調査される。第１の空腹時期間が、第１の期間の範囲内で最小の分散
2019532391.tif 000012
を示す期間であると見なされる。次に、このプロセスは、最小の分散の別の期間を求めて複数のグルコース測定取得値の次の部分を調査することにより、複数のグルコース測定取得値の部分に対して繰り返され、それによって別の空腹時期間を割り当てる。
【誤訳訂正８】
【訂正対象書類名】明細書
【訂正対象項目名】００８９
【訂正方法】変更
【訂正の内容】
【００８９】
ブロック４３４。図４Ｄのブロック４３４は、本開示の特定の実施形態を説明するものである。この実施形態では、有効なインスリン投薬計画２０６は、日々の量のボーラスインスリン薬剤を、「朝食」、「昼食」、および「夕食」を備えるイベントタイプのセットにおける２つ以上の日々のボーラス注射イベントタイプに分割するように指定する。さらに、（たとえばブロック４２８、４３０、または４３２に従って）基礎／ボーラス比の推奨される調節をするように判定される。ここで、基礎／ボーラス比の推奨される調節は、被験者向けの有効なインスリン投薬計画２０６における日々の量のボーラスインスリン薬剤の増加を推奨することである。この実施形態では、この方法は、時間的経過にわたる２つ以上のボーラス注射イベントタイプにおける各ボーラス注射イベントタイプのそれぞれのボーラス注射に関連したそれぞれの最小の食後のグルコース測定値を判定することにより、２つ以上の日々のボーラス注射イベントタイプにおけるどのボーラス注射イベントタイプにおいてボーラスインスリン薬剤量を増加させるために変更するべきか判定することをさらに備える。たとえば、特定のボーラス注射イベントタイプ「朝食」について、各朝食後の期間（たとえば朝食後の５分間、１５分間、３０分間、１時間）のグルコース測定取得値２１８は、各朝食に関連した最小の食後のグルコース測定値を求めてポーリングされる。次いで、２つ以上の日々のボーラス注射イベントタイプにおけるそれぞれの日々のボーラス注射イベントタイプについて、それぞれの日々のボーラス注射イベントタイプのそれぞれのボーラス注射に関連した最小の食後のグルコース測定値の中心傾向のそれぞれの第２の測度が計算され、それによって中心傾向の複数の第２の測度が計算される。したがって、引き続き上記の例において、各朝食に関連した最小の食後のグルコース測定値の中心傾向の測度が取得される。同様に、各昼食に関連した最小の食後のグルコース測定値の中心傾向の測度が取得される。さらに、各夕食に関連した最小の食後のグルコース測定値の中心傾向の測度が取得される。中心傾向のこの測度は、たとえば所与のイベントタイプ（たとえば朝食、昼食または夕食）に関連した最小の食後のグルコース測定値の算術平均、加重平均、ミッドレンジ、ミッドヒンジ、３項平均、ウィンザー化平均、メジアン、またはモードであり得る。さらに、中心傾向の最大の第２の測度が、ある閾値量よりも大きい量だけ、中心傾向の複数の第２の測度の中心傾向の第３の測度よりも大きいときには、増加させるボーラスインスリン薬剤量に関して、中心傾向の最大の第２の測度に関連した２つ以上の日々のボーラス注射イベントタイプにおける日々のボーラス注射イベントタイプが選択される。たとえば、朝食、昼食および夕食の３つのイベントタイプがある場合を考える。したがって、各イベントタイプに関連した最小の食後のグルコース測定値をそれぞれ表す中心傾向の３つの第２の測度がある。中心傾向の測度はこれら３つの値から取得され、これが中心傾向の第３の測度を構成する。中心傾向のこの第３の測度は、たとえば中心傾向の第２の測度の算術平均、加重平均、ミッドレンジ、ミッドヒンジ、３項平均、ウィンザー化平均、メジアン、またはモードであり得る。中心傾向の最大の第２の測度が、ある閾値量よりも大きい量だけ、中心傾向の第３の測度よりも大きければ、増加させるボーラスインスリン薬剤量に関して、中心傾向の最大の第２の測度に関連した２つ以上の日々のボーラス注射イベントタイプにおける日々のボーラス注射イベントタイプが選択される。そうでなければ、ボーラスインスリン薬剤量の増加は、２つ以上の日々のボーラス注射イベントタイプにわたって分配される（たとえば２つ以上の日々のボーラス注射イベントタイプに関連する最小の食後のグルコース測定値に比例して、等しく、分配される、など）。ここで、いくつかの実施形態では、中心傾向の第２の測度のために必要な閾値量は用途に特有のものであり、各被験者について異なってよい。いくつかの実施形態では、中心傾向の第２の測度がそうあらねばならない必要な閾値量は、中心傾向の第３の測度よりも１０パーセント大きい、２０パーセント大きい、または３０パーセント大きなものである。
【誤訳訂正９】
【訂正対象書類名】明細書
【訂正対象項目名】００９０
【訂正方法】変更
【訂正の内容】
【００９０】
ブロック４３６。図４Ｅのブロック４３６は、本開示の別の特定の実施形態を説明するものである。この実施形態では、有効なインスリン投薬計画２０６は、日々の量のボーラスインスリン薬剤を、「朝食」、「昼食」、および「夕食」を備えるイベントタイプのセットにおける２つ以上の日々のボーラス注射イベントタイプに分割するように指定する。（たとえばブロック４２８、４３０、または４３２に従って）基礎／ボーラス比の推奨される調節をするように判定される。ブロック４３４に反して、基礎／ボーラス比の推奨される調節は、被験者向けの有効なインスリン投薬計画２０６における日々の量のボーラスインスリン薬剤の減少を推奨することである。この実施形態では、この方法は、時間的経過にわたる２つ以上のボーラス注射イベントタイプにおける各ボーラス注射イベントタイプのそれぞれのボーラス注射に関連したそれぞれの最小の食後のグルコース測定取得値を判定することにより、２つ以上の日々のボーラス注射イベントタイプにおけるどのボーラス注射イベントタイプにおいてボーラスインスリン薬剤量を減少させるために変更するべきか判定することをさらに備える。たとえば、特定のボーラス注射イベントタイプ「朝食」について、各朝食後の期間（たとえば朝食後の５分間、１５分間、３０分間、１時間）のグルコース測定取得値２１８が、各朝食に関連した最小の食後のグルコース測定値を求めてポーリングされる。次いで、２つ以上の日々のボーラス注射イベントタイプにおけるそれぞれの日々のボーラス注射イベントタイプについて、それぞれの日々のボーラス注射イベントタイプのそれぞれのボーラス注射に関連した最小の食後のグルコース測定値の中心傾向のそれぞれの第２の測度が計算され、それによって中心傾向の複数の第２の測度が計算される。したがって、引き続き上記の例において、時間的経過における各朝食に関連した最小の食後のグルコース測定値の中心傾向の測度が取得される。同様に、各昼食に関連した最小の食後のグルコース測定値の中心傾向の測度が取得される。さらに、各夕食に関連した最小の食後のグルコース測定値の中心傾向の測度が取得される。中心傾向のこの測度は、たとえば所与のイベントタイプ（たとえば朝食、昼食または夕食）に関連した最小の食後のグルコース測定値の算術平均、加重平均、ミッドレンジ、ミッドヒンジ、３項平均、ウィンザー化平均、メジアン、またはモードであり得る。さらに、このイベントタイプに関する中心傾向の最小の第２の測度が、ある閾値量よりも大きい量だけ、中心傾向の複数の第２の測度の中心傾向の第３の測度よりも小さいときには、減少させるボーラスインスリン薬剤量に関して、中心傾向の最小の第２の測度に関連した２つ以上の日々のボーラス注射イベントタイプにおける日々のボーラス注射イベントタイプが選択される。たとえば、朝食、昼食および夕食の３つのイベントタイプがある事例を考える。したがって、各イベントタイプに関連した最小の食後のグルコース測定値をそれぞれ表す中心傾向の３つの第２の測度がある。中心傾向の測度はこれら３つの値から取得され、これが中心傾向の第３の測度を構成する。中心傾向のこの第３の測度は、たとえば中心傾向の第２の測度の算術平均、加重平均、ミッドレンジ、ミッドヒンジ、３項平均、ウィンザー化平均、メジアン、またはモードであり得る。中心傾向の最小の第２の測度が、ある閾値量よりも大きい量だけ、中心傾向の第３の測度よりも小さければ、減少させるボーラスインスリン薬剤量に関して、中心傾向の最小の第２の測度に関連した２つ以上の日々のボーラス注射イベントタイプにおける日々のボーラス注射イベントタイプが選択される。そうでなければ、ボーラスインスリン薬剤量の減少が、２つ以上の日々のボーラス注射イベントタイプにわたって分配される（たとえば２つ以上の日々のボーラス注射イベントタイプに関連する最小の食後のグルコース測定値に比例して、等しく、分配される、など）。ここで、いくつかの実施形態では、中心傾向の第２の測度のために必要な閾値量は用途に特有のものであり、各被験者について異なってよい。いくつかの実施形態では、中心傾向の第２の測度がそうあらねばならない必要な閾値量は、中心傾向の第３の測度よりも１０パーセント超大きい、２０パーセント大きい、または３０パーセント小さいものである。
【誤訳訂正１０】
【訂正対象書類名】明細書
【訂正対象項目名】００９８
【訂正方法】変更
【訂正の内容】
【００９８】
実施形態のリスト
実施形態１
１つまたは複数のプロセッサ２７４およびメモリ１９２／２９０を備える、被験者向けの有効なインスリン投薬計画における基礎／ボーラス比を調節するためのデバイス２５０であって、メモリに記憶された命令が１つまたは複数のプロセッサによって実行されたとき、
日々の合計のインスリン薬剤を含む、被験者向けの有効なインスリン投薬計画２０６を得ることであって、日々の合計のインスリン薬剤が、日々の量の基礎インスリン薬剤２１０と、被験者向けの有効なインスリン投薬計画によって指定された、１つまたは複数のインスリンペンによって投与される日々の量のボーラスインスリン薬剤２１４との組合せによって満たされ、日々の量の基礎インスリン薬剤および日々の量のボーラスインスリン薬剤が、日々の量の基礎インスリン薬剤と日々の量のボーラスインスリン薬剤の間の初期の基礎／ボーラス比を定義する、得ることと、
時間的経過にわたる被験者の複数のグルコース測定取得値と、複数のグルコース測定取得値におけるそれぞれのグルコース測定取得値２１８について、それぞれの測定が行われた時刻を表すタイムスタンプとを含む第１のデータセット２１６を得ることと、
時間的経過における１つまたは複数の空腹時イベントを識別することと、
それぞれの空腹時イベントの期間２２８にある第１のデータセットから得られた被験者のグルコース測定取得値を使用して、１つまたは複数の空腹時イベントにおけるそれぞれの空腹時イベント２２４について、それぞれの時間的なグルコース勾配２２６を計算することと、
１つまたは複数の空腹時イベントにおける各空腹時イベントの勾配を使用して、被験者に対して日々の合計のインスリン薬剤を変更せずに基礎／ボーラス比の推奨される調節をするべきかどうかを判定することと、
被験者に対して基礎／ボーラス比の推奨される調節をするように判定されたとき、基礎／ボーラス比の推奨される調節を、
（ｉ）有効なインスリン投薬計画における基礎／ボーラス比の手動調節のために、被験者に通信すること、
（ｉｉ）投与量調節の命令として、被験者に対して有効なインスリン投薬計画を送達することを命じられる１つまたは複数のインスリンペンにおける各インスリンペンに通信すること、または
（ｉｉｉ）被験者に関連した医療関係者に通信することと、の方法を遂行するデバイス。
実施形態２
被験者向けの有効なインスリン投薬計画が、食後のグルコース目標と、食後のグルコース目標を上回る食後のグルコースレベルを担うための補正ボーラスとをさらに含み、補正ボーラスが１つまたは複数のインスリンペンによって投与されるように指定される、実施形態１に記載のデバイス。
実施形態３
被験者向けの有効なインスリン投薬計画が、より低い範囲のグルコース目標と、より低い範囲のグルコース目標を下回るグルコースレベルを担うための炭水化物補正とをさらに含み、炭水化物補正が経口で投与され得るものである、実施形態１または２に記載のデバイス。
実施形態４
１つまたは複数の空腹時イベントが複数の空腹時イベントであり、１つまたは複数の空腹時イベントにおける各空腹時イベントの勾配を使用して、被験者に対して日々の合計のインスリン薬剤を変更せずに基礎／ボーラス比の推奨される調節をするべきかどうかを判定することが、
複数の空腹時イベントにおける各空腹時イベントの勾配の中心傾向の第１の測度を取得すること、
中心傾向の第１の測度がプラスでありプラスの閾値を超えるとき、被験者向けの有効なインスリン投薬計画は基礎インスリン薬剤の不足であると見なすこと、
中心傾向の第１の測度がマイナスでありマイナスの閾値を超えるとき、被験者向けの有効なインスリン投薬計画はボーラスインスリン薬剤の不足であると見なすこと、および、
どちらでもなければ、被験者向けの有効なインスリン投薬計画の基礎／ボーラス比は十分であると見なすことを含む、実施形態１から３のいずれか１つに記載のデバイス。
実施形態５
１つまたは複数の空腹時イベントが単一の空腹時イベントであり、
１つまたは複数の空腹時イベントにおける各空腹時イベントの勾配を使用して、被験者に対して日々の合計のインスリン薬剤を変更せずに基礎／ボーラス比の推奨される調節をするべきかどうかを判定することが、
単一の空腹時イベントの勾配がプラスでありプラスの閾値を超えるとき、被験者向けの有効なインスリン投薬計画は基礎インスリン薬剤の不足であると見なすこと、
単一の空腹時イベントの勾配がマイナスでありマイナスの閾値を超えるとき、被験者向けの有効なインスリン投薬計画はボーラスインスリン薬剤の不足であると見なすこと、および、
どちらでもなければ、被験者向けの有効なインスリン投薬計画の基礎／ボーラス比は十分であると見なすことを含む、実施形態１から３のいずれか１つに記載のデバイス。
実施形態６
複数のグルコース測定取得値における各グルコース測定取得値が自律的に測定され、１つまたは複数の空腹時イベントが、第１のデータセットにおける被験者の複数のグルコース測定取得値およびそれぞれのタイムスタンプを使用して判定される、実施形態１から５のいずれか１つに記載のデバイス。
実施形態７
複数の空腹時イベントを識別することが、時間的経過に包含された第１の期間における第１の空腹時期間を識別することを含み、第１の空腹時期間を識別することが、
複数のグルコース測定取得値にわたる移動期間の分散
2019532391.tif 000013
を、次式を使用して計算することであって、
2019532391.tif 000014
ここにおいて、
Ｇｉは複数のグルコース測定取得値の部分におけるｉ番目のグルコース測定取得値であり、
Ｍは複数のグルコース測定取得値の上記の移動期間内におけるグルコース測定取得値の数であり、
2019532391.tif 000015
は複数のグルコース測定取得値の上記の移動期間内におけるグルコース測定取得値の平均値であり、
ｋは第１の期間の範囲内にあるＧｉを示すインデックスである、計算することと、
第１の空腹時期間を、第１の期間の範囲内において最小の分散
2019532391.tif 000016
を示す期間に関連づけることとによって行われる、実施形態６に記載のデバイス。
実施形態８
１つまたは複数の空腹時イベントを識別することが、被験者から１つまたは複数の空腹時イベントにおける各空腹時イベントの指示を受け取ることを含む、実施形態１から６のいずれか１つに記載のデバイス。
実施形態９
１つまたは複数の空腹時イベントを識別することが、被験者が着用するウェアラブルデバイスから第２のデータセット（２２０）を受け取ることを含み、第２のデータセットが、１つまたは複数の空腹時イベントを指示する時間的経過中の被験者の生理的メトリック２３２を指示する、実施形態１から６のいずれか１つに記載のデバイス。
実施形態１０
有効なインスリン投薬計画が、日々の量のボーラスインスリン薬剤を、「朝食」、「昼食」、および「夕食」を含むイベントタイプのセットにおける２つ以上の日々のボーラス注射イベントタイプに分割するように指定し、
基礎／ボーラス比の推奨される調節をするように判定され、
基礎／ボーラス比の推奨される調節は、被験者向けの有効なインスリン投薬計画における日々の量のボーラスインスリン薬剤の増加を推奨することであり、上記の方法が、
時間的経過にわたる２つ以上のボーラス注射イベントタイプにおける各ボーラス注射イベントタイプのそれぞれのボーラス注射に関連したそれぞれの最小の食後のグルコース測定取得値を判定すること、
２つ以上の日々のボーラス注射イベントタイプにおけるそれぞれの日々のボーラス注射イベントタイプについて、それぞれの日々のボーラス注射イベントタイプのそれぞれのボーラス注射に関連した最小の食後のグルコース測定値の中心傾向のそれぞれの第２の測度を計算し、それによって中心傾向の複数の第２の測度を計算すること、および
中心傾向の最大の第２の測度が、ある閾値量よりも大きい量だけ、中心傾向の複数の第２の測度の中心傾向の第３の測度よりも大きいときには、増加させるボーラスインスリン薬剤量に関して、中心傾向の最大の第２の測度に関連した２つ以上の日々のボーラス注射イベントタイプにおける日々のボーラス注射イベントタイプを選択し、そうでなければ、ボーラスインスリン薬剤量におけるこの増加を、２つ以上の日々のボーラス注射イベントタイプにわたって分配することにより、
２つ以上の日々のボーラス注射イベントタイプにおけるどのボーラス注射イベントタイプにおいてボーラスインスリン薬剤量を増加させるために変更するべきか判定することをさらに含む、実施形態１から４のいずれか１つに記載のデバイス。
実施形態１１
有効なインスリン投薬計画が、日々の量のボーラスインスリン薬剤を、「朝食」、「昼食」、および「夕食」を含むイベントタイプのセットにおける２つ以上の日々のボーラス注射イベントタイプに分割するように指定し、
基礎／ボーラス比の推奨される調節をするように判定され、
基礎／ボーラス比の推奨される調節は、被験者向けの有効なインスリン投薬計画における日々の量のボーラスインスリン薬剤の減少を推奨することであり、上記の方法が、
時間的経過にわたる２つ以上のボーラス注射イベントタイプにおける各ボーラス注射イベントタイプのそれぞれのボーラス注射に関連したそれぞれの最小の食後のグルコース測定取得値を判定すること、
２つ以上の日々のボーラス注射イベントタイプにおけるそれぞれの日々のボーラス注射イベントタイプについて、それぞれの日々のボーラス注射イベントタイプのそれぞれのボーラス注射に関連した最小の食後のグルコース測定値の中心傾向のそれぞれの第２の測度を計算し、それによって中心傾向の複数の第２の測度を計算すること、および
中心傾向の最小の第２の測度が、ある閾値量よりも大きい量だけ、中心傾向の複数の第２の測度の中心傾向の第３の測度よりも小さいときには、減少させるボーラスインスリン薬剤量に関して、中心傾向の最小の第２の測度に関連した２つ以上の日々のボーラス注射イベントタイプにおける日々のボーラス注射イベントタイプを選択し、そうでなければ、ボーラスインスリン薬剤量におけるこの減少を、２つ以上の日々のボーラス注射イベントタイプにわたって分配することにより、
２つ以上の日々のボーラス注射イベントタイプにおけるそのボーラス注射イベントタイプにおいてボーラスインスリン薬剤量を減少させるために変更するべきか判定することをさらに含む、実施形態１から４のいずれか１つに記載のデバイス。
実施形態１２
上記の方法が、
有効なインスリン投薬計画を適用するために、被験者が使用する１つまたは複数のインスリンペン１０４から第３のデータセット３０２を得ることであって、第３のデータセットが複数のインスリン薬剤記録を含み、複数のインスリン薬剤記録における各インスリン薬剤記録３０４が、（ｉ）１つまたは複数のインスリンペンにおけるそれぞれのインスリンペンを使用して被験者に注射されたインスリン薬剤の量３０８を含む、それぞれのインスリン薬剤注射イベント３０６と、（ｉｉ）それぞれのインスリン薬剤注射イベントと同時にそれぞれのインスリンペン１０４によって自動的に発生された対応するインスリンイベントの電子的タイムスタンプ３１０と、（ｉｉｉ）（ａ）基礎インスリン薬剤および（ｂ）ボーラスインスリン薬剤のうちの１つから被験者に注射されたインスリン薬剤のそれぞれのタイプ３１２とを含む、得ることと、
第３のデータセットを使用して、１つまたは複数の空腹時イベントから、ボーラス注射イベント後の第１の所定時間間隔または基礎注射イベント後の第２の所定時間間隔の範囲内に生じたものではない空腹時イベントを除外することとをさらに含む、実施形態１から１１のいずれか１つに記載のデバイス。
実施形態１３
１つまたは複数の空腹時イベントが、前の１週間、前の２週間、または前の１か月の範囲内にあり、上記の方法が、時間が経つと循環的に繰り返される、実施形態１から１２のいずれか１つに記載のデバイス。
実施形態１４
被験者に対して基礎／ボーラス比の推奨される調節をするように判定され、調節は、初期の基礎／ボーラス比の１〜５パーセント、初期の基礎／ボーラス比の５〜１０パーセント、または初期の基礎／ボーラス比の１０〜１５パーセントである、実施形態１から１３のいずれか１つに記載のデバイス。
実施形態１５
ワイヤレス受信器をさらに備えるデバイスであって、第１のデータセットが、被験者に付けたグルコースセンサからワイヤレスで得られる、実施形態１から１４のいずれか１つに記載のデバイス。
実施形態１６
基礎インスリン薬剤が、１２〜２４時間の作用持続時間を有する１つのインスリン薬剤または１２〜２４時間の作用持続時間を総体として有するインスリン薬剤の混合物から成り、
ボーラスインスリン薬剤が、３〜８時間の作用持続時間を有する１つのインスリン薬剤または３〜８時間の作用持続時間を総体として有するインスリン薬剤の混合物から成る、実施形態１から１５のいずれか１つに記載のデバイス。
実施形態１７
被験者向けの有効なインスリン投薬計画における基礎／ボーラス比を調節する方法であって、
１つまたは複数のプロセッサおよびメモリを備えるコンピュータシステムにおいて、
被験者向けの有効なインスリン投薬計画２０６を得ることであって、
被験者向けの有効なインスリン投薬計画が日々の合計のインスリン薬剤を含み、
日々の合計のインスリン薬剤が、日々の量の基礎インスリン薬剤２１０と、被験者向けの有効なインスリン投薬計画によって指定された、１つまたは複数のインスリンペンによって投与される日々の量のボーラスインスリン薬剤２１４との組合せによって満たされ、
日々の量の基礎インスリン薬剤および日々の量のボーラスインスリン薬剤が、日々の量の基礎インスリン薬剤と日々の量のボーラスインスリン薬剤の間の初期の基礎／ボーラス比を定義する、得ることと、
時間的経過にわたる被験者の複数のグルコース測定取得値と、複数のグルコース測定取得値におけるそれぞれのグルコース測定取得値２１８について、それぞれの測定が行われた時刻を表すタイムスタンプ２２０とを含む第１のデータセット２１６を得ることと、
時間的経過における１つまたは複数の空腹時イベントを識別することと、
それぞれの空腹時イベントの期間２２８にある第１のデータセットから得られた被験者のグルコース測定取得値を使用して、１つまたは複数の空腹時イベントにおけるそれぞれの空腹時イベント２２４について、それぞれの時間的なグルコース勾配２２６を計算することと、
１つまたは複数の空腹時イベントにおける各空腹時イベントの勾配を使用して、被験者に対して日々の合計のインスリン薬剤を変更せずに基礎／ボーラス比の推奨される調節をするべきかどうかを判定することと、
被験者に対して基礎／ボーラス比の推奨される調節をするように判定されたとき、基礎／ボーラス比の推奨される調節を、
（ｉ）有効なインスリン投薬計画における基礎／ボーラス比の手動調節のために、被験者に通信すること、
（ｉｉ）投与量調節の命令として、被験者に対して有効なインスリン投薬計画を送達することを命じられる１つまたは複数のインスリンペンにおける各インスリンペンに通信すること、または
（ｉｉｉ）被験者に関連した医療関係者に通信することとを含む方法。
実施形態１８
１つまたは複数のプロセッサによって実行されたとき実施形態１７に記載の方法を遂行する命令を含む、コンピュータプログラム。
実施形態１９
実施形態１８に記載のコンピュータプログラムを記憶している、コンピュータ可読データ記憶媒体。
引用された参考文献および代替実施形態
【誤訳訂正１１】
【訂正対象書類名】図面
【訂正対象項目名】図６
【訂正方法】変更
【訂正の内容】
【図６】
2019532391.tif 000017